(57)【要約】      （修正有）【課題】バッグの開口部を開閉しうるカバー部にポケットを設けることにより、バッグの開口部がカバー部で閉じられた場合であっても小物等のポケットへの出し入れを可能とするバッグを提供する。【解決手段】上部に開口部を有する収納部と、上記開口部を開閉しうるカバー部とを有し、上記カバー部は、上記収納部の内部に配置され、一方の端部が上記収納部に固定されると共に他方の端部には上記収納部に着脱可能に接続しうる固定部を有するバッグであって、上記カバー部は、上記開口部が上記カバー部により閉じられた場合に上記カバー部の外方側に配置されたポケット部を有する。【選択図】図１
0003142250.tif 000002
【実用新案登録請求の範囲】
【請求項１】
上部に開口部を有する収納部と、上記開口部を開閉しうるカバー部とを有し、上記カバー部は、上記収納部の内部に配置され、一方の端部が上記収納部に固定されると共に他方の端部には上記収納部に着脱可能に接続しうる固定部を有するバッグであって、
上記カバー部は、上記開口部が上記カバー部により閉じられた場合に上記カバー部の外方側に配置されたポケット部を有することを特徴とするバッグ。
【請求項２】
上記ポケット部のポケット開口部は、上記開口部が上記カバー部により閉じられた場合に上記カバー部の外方側に配置されるように形成されていることを特徴とする請求項１記載のバッグ。
【請求項３】
上記収納部は互いに対向する側面部を有し、
上記カバー部は、上記開口部が開かれた場合に上記収納部の一方の側面部から他方の側面部に亘って開口部を閉じうる長さ寸法を有すると共に上記収納部の高さ寸法より短い長さ寸法を有し、
上記カバー部は、上記収納部の一方の側面部の上端部に固定された固定端部を有し、
上記固定部は、互いに係合しうる第一の留め具と第二の留め具とを備え、
上記第一の留め具は上記カバー部の他方の端部に取り付けられると共に、上記第一の留め具に係合しうる上記第二の留め具は上記収納部の他方の側面部の上端部に取り付けられていることを特徴とする請求項１又は２記載のバッグ。
【請求項４】
上記ポケット開口部が上記カバー部の固定端部に沿って形成されていることを特徴とする請求項３記載のバッグ。
【請求項５】
上記一方の側面部の上端部と上記他方の側面部の上端部とが当接した場合に、上記収納部の開口部を閉じうる上記第二の留め具と係合しうる第三の留め具が上記他方の側面部の上端部に取り付けられていることを特徴とする請求項３又は４項に記載のバッグ。
【請求項６】
上記第一の留め具は、上記開口部が閉じられていない状態で上記カバー部が一方の側面部に沿って垂下された場合に、上記カバー部の上記他方の側面部側に取り付けられ、
上記第一の留め具には、上記カバー部の他方の端部を把持しうる把持部が取り付けられていることを特徴とする請求項３〜５のいずれか１項に記載のバッグ。
【請求項７】
上記ポケット部には上記ポケット開口部を開閉しうるファスナーが取り付けられていることを特徴とする請求項２〜６のいずれか１項に記載のバッグ。
【考案の詳細な説明】
【技術分野】
【０００１】
本考案は、バッグに係り、特に、バッグの開口部を開閉しうるカバー部にポケットを設けることにより、バッグの開口部がカバー部で閉じられた場合であってもポケットへの小物等の出し入れを可能とするバッグに関する。
【背景技術】
【０００２】
従来から、バッグに開口部を開閉可能とするカバー部材を設けて、カバー部材を用いて開口部を閉じることにより、バッグの内部を外から見えないようにする技術が提案されている（特許文献１、特許文献２）。
しかしながら、このような技術においては、カバー部材の一端部はバッグ内部に固定され、他端部をバッグ内部に一時的に固定して開口部を閉じることから、一度、カバー部材によりバッグの開口部を閉じてしまうと、バッグ内部に物を収納したり、バッグ内部の物を取り出す場合には、カバー部材の固定を外さなければならず煩雑であった。
このようにカバー部材でバッグの開口部が閉じられた状態においても、小物等を収納でき、且つ、収納した小物等を取り出せれば便利である。
【０００３】
【特許文献１】特許３１４５６８２号
【特許文献２】実開平６−３５１４２号
【考案の開示】
【考案が解決しようとする課題】
【０００４】
本考案は、バッグの開口部を開閉しうるカバー部にポケット部を設けることにより、バッグの開口部がカバー部で閉じられた場合であってもポケット部への小物等の出し入れを可能とするバッグを提供することにある。
【課題を解決するための手段】
【０００５】
上記課題を解決するために、請求項１記載の考案にあっては、上部に開口部を有する収納部と、上記開口部を開閉しうるカバー部とを有し、上記カバー部は、上記収納部の内部に配置され、一方の端部が上記収納部に固定されると共に他方の端部には上記収納部に着脱可能に接続しうる固定部を有するバッグであって、上記カバー部は、上記開口部が上記カバー部により閉じられた場合に上記カバー部の外方側に配置されたポケット部を有することを特徴とする。
また、請求項２記載の考案にあっては、上記ポケット部のポケット開口部は、上記開口部が上記カバー部により閉じられた場合に上記カバー部の外方側に配置されるように形成されていることを特徴とする。
従って、請求項１及び２記載の考案にあっては、上記カバー部は、上記開口部が上記カバー部により閉じられた場合に上記カバー部の外方側に配置されたポケット部を有するので、上記開口部が上記カバー部により閉じられた場合であっても上記ポケット部は上記カバー部の外方側に配置される。
特に、請求項２記載の考案にあっては、上記開口部が上記カバー部により閉じられた場合に上記ポケット開口部は上記カバー部材の外方側に配置される。
【０００６】
請求項３記載の考案にあっては、上記収納部は互いに対向する側面部を有し、上記カバー部は、上記開口部が開かれた場合に上記収納部の一方の側面部から他方の側面部に亘って開口部を閉じうる長さ寸法を有すると共に上記収納部の高さ寸法より短い長さ寸法を有し、上記カバー部は、上記収納部の一方の側面部の上端部に固定された固定端部を有し、上記固定部は、互いに係合しうる第一の留め具と第二の留め具とを備え、上記第一の留め具は上記カバー部の他方の端部に取り付けられると共に、上記第一の留め具に係合しうる上記第二の留め具は上記収納部の他方の側面部の上端部に取り付けられていることを特徴とする。
従って、カバー部は上記開口部が開かれた場合に上記収納部の一方の側面部から他方の側面部に亘って開口部を閉じうる長さ寸法を有するので、バッグに物を収納することにより開口部が大きく開かれた場合であっても、上記カバー部により上記開口部を閉じることができる。
また、カバー部は上記収納部の高さ寸法より短い長さ寸法を有し、上記収納部の一方の側面部の上端部に固定されているので、カバー部が開口部を閉じていない場合には、カバー部はバッグの内部の側面部に沿って垂下される。
また、上記固定部は、互いに係合しうる第一の留め具と第二の留め具とを備え、上記第一の留め具は上記カバー部の他方の端部に取り付けられると共に、上記第一の留め具に係合しうる上記第二の留め具は上記収納部の他方の側面部の上端部に取り付けられているので、カバー部を固定部により固定して上記開口部を閉じることができる。
【０００７】
請求項４記載の考案にあっては、上記ポケット開口部が上記カバー部の固定端部に沿って形成されていることを特徴とする。
従って、上記ポケット開口部は上記収納部の一方の側面部の上端部に固定された固定端部に沿って形成されている。
【０００８】
請求項５記載の考案にあっては、上記一方の側面部の上端部と上記他方の側面部の上端部とが当接した場合に、上記収納部の開口部を閉じうる上記第二の留め具と係合しうる第三の留め具が上記一方の側面部の上端部に取り付けられていることを特徴とする。
従って、上記一方の側面部の上端部と上記他方の側面部の上端部とが当接した場合に、上記収納部の開口部を閉じうる上記第二の留め具と係合しうる第三の留め具が上記一方の側面部の上端部に取り付けられているので、上記一方の側面部の上端部と上記他方の側面部の上端部とが当接するような収納部に収納された収納物が少ない場合には、上記一方の側面部の上端部と上記他方の側面部の上端部とを当接させた状態で上記第二の留め具と上記第三の留め具を係合させて開口部を閉じることができる。
【０００９】
請求項６記載の考案にあっては、上記第一の留め具は、上記開口部が閉じられていない状態で上記カバー部が一方の側面部に沿って垂下された場合に、上記カバー部の上記他方の側面部側に取り付けられ、上記第一の留め具には、上記カバー部の他方の端部を把持しうる把持部が取り付けられていることを特徴とする。
従って、上記カバー部の他方の端部を把持しうる上記把持部を把持して上記第一の留め具と第二の留め具とを係合させて上記カバー部により上記開口部を閉じることができる。
【００１０】
請求項７記載の考案にあっては、上記ポケット部には上記ポケット開口部を開閉しうるファスナーが取り付けられていることを特徴とする。
従って、ポケット部の内部に収納した物をファスナーを閉めることにより確実にポケット部内部に保持することができる。
【考案の効果】
【００１１】
請求項１及び２記載の考案にあっては、上記カバー部は、上記開口部が上記カバー部によ  り閉じられた場合に上記カバー部の外方側に配置されたポケット部を有しており、上記開口部が上記カバー部により閉じられた場合であっても上記ポケット部は上記カバー部の外方側に配置されるので、ポケット部への小物等の出し入れを可能とするバッグを提供することができる。
特に、請求項２記載の考案にあっては、上記開口部が上記カバー部により閉じられた場合に上記ポケット開口部は上記カバー部の外方側に配置されるので、上記ポケット開口部を介して上記ポケット部への小物等の出し入れをすることができる。
【００１２】
請求項３記載の考案にあっては、カバー部は上記開口部が開かれた場合に上記収納部の一方の側面部から他方の側面部に亘って開口部を閉じうる長さ寸法を有しており、バッグに物を収納することにより開口部が大きく開かれた場合であっても、上記カバー部により上記開口部を閉じることができるので、上記カバー部により上記開口部を閉じることによりバッグの内部を外から視認することができないバッグを提供することができる。
また、カバー部は上記収納部の高さ寸法より短い長さ寸法を有し、上記収納部の一方の側面部の上端部に固定されており、カバー部が開口部を閉じていない場合には、カバー部はバッグの内部の側面部に沿って垂下されるので、カバー部が開口部を閉じていない場合には、カバー部が上記収納部への物の出し入れの際に邪魔になることがないバッグを提供することができる。
また、上記固定部は、互いに係合しうる第一の留め具と第二の留め具とを備え、上記第一の留め具は上記カバー部の他方の端部に取り付けられると共に、上記第一の留め具に係合しうる上記第二の留め具は上記収納部の他方の側面部の上端部に取り付けられており、カバー部を固定部により固定することができるので、カバー部を固定部により固定してバッグの開口部を容易に閉じることができるバッグを提供することができる。
【００１３】
請求項４記載の考案にあっては、上記ポケット開口部は上記収納部の一方の側面部の上端部に固定された固定端部に沿って形成されているので、カバー部が開口部を閉じていない場合においてもポケット部への物の出し入れが容易なバッグを提供することができる。
【００１４】
請求項５記載の考案にあっては、上記一方の側面部の上端部と上記他方の側面部の上端部とが当接した場合に、上記収納部の開口部を閉じうる上記第二の留め具と係合しうる第三の留め具が上記一方の側面部の上端部に取り付けられており、上記一方の側面部の上端部と上記他方の側面部の上端部とが当接するような収納部に収納された収納物が少ない場合には、上記一方の側面部の上端部と上記他方の側面部の上端部とを当接させた状態で上記第二の留め具と上記第三の留め具を係合させて開口部を閉じることができるので、上記一方の側面部の上端部と上記他方の側面部の上端部とが当接するような収納部に収納された収納物が少ない場合には、上記カバー部を用いなくても開口部を閉じることができるバッグを提供することができる。
【００１５】
請求項６記載の考案にあっては、上記カバー部の他方の端部を把持しうる上記把持部を把持して上記第一の留め具と第二の留め具とを係合させて上記カバー部により上記開口部を閉じることができるので、上記把持部を把持して上記開口部をカバー部により容易に閉じることができるバッグを提供することができる。
【００１６】
請求項７記載の考案にあっては、ポケット部の内部に収納した物をファスナーを閉めることにより確実にポケット部の内部に保持できるので、ポケット部に収納された物の盗難を防止でき、ポケット部に収納された物の落下等を防止できるバッグを提供することができる。
【考案を実施するための最良の形態】
【００１７】
以下、図面を用いて本考案の実施の形態について説明する。
図１（ａ）及び（ｂ）に示すように、本実施の形態に係るバッグ１０は、上部に開口部１１を有する収納部１２と、上記開口部１１を開閉しうるカバー部１３とを有し、上記カバー部１３は、上記収納部１２の内部に配置され、一方の端部１４が上記収納部１２に固定されると共に他方の端部１５には上記収納部１２に着脱可能に接続しうる固定部１６を有するバッグであって、上記カバー部１３は、上記開口部１１が上記カバー部１３により閉じられた場合に上記カバー部１３の外方側に配置されたポケット部１７を有している。
また、図１（ｂ）に示すように、上記ポケット部１７のポケット開口部１８は、上記開口部１１が上記カバー部１３により閉じられた場合に上記カバー部１３の外方側に配置されるように形成されている。
また、図１（ａ）及び（ｂ）に示すように、上記収納部１２は互いに対向する側面部１９，２０を有し、上記カバー部１３は、上記開口部１１が開かれた場合に上記収納部１２の一方の側面部１９から他方の側面部２０に亘って開口部１１を閉じうる長さ寸法を有すると共に上記収納部１２の高さ寸法より短い長さ寸法を有し、上記カバー部１３は、上記収納部１２の一方の側面部１９の上端部２１に固定された固定端部２２を有し、上記固定部１６は、互いに係合しうる第一の留め具２３と第二の留め具２４とを備え、上記第一の留め具２３は上記カバー部１３の他方の端部１５に取り付けられると共に、上記第一の留め具２３に係合しうる上記第二の留め具２４は上記収納部１２の他方の側面部２０の上端部２６に取り付けられている。
また、図１（ａ）及び（ｂ）に示すように、上記ポケット開口部１８が上記カバー部１３の固定端部２２に沿って形成されている。
また、上記一方の側面部１９の上端部２１と上記他方の側面部２０の上端部２６とが当接した場合に、上記収納部１２の開口部１１を閉じうる上記第二の留め具２４と係合しうる第三の留め具２７が上記一方の側面部１９の上端部２１に取り付けられている。
また、図２（ａ）及び（ｂ）に示すように、上記第一の留め具２３は、上記開口部１１が閉じられていない状態で上記カバー部１３が一方の側面部１９に沿って垂下された場合に、上記カバー部１３の上記他方の側面部２０側に取り付けられ、上記第一の留め具２３には、上記カバー部１３の他方の端部１５を把持しうる把持部２８が取り付けられている。
また、図３に示すように、上記ポケット部１７には上記ポケット開口部１８を開閉しうるファスナー２９が取り付けられている
【実施例】
【００１８】
以下に、図面を用いて本実施例について詳細を説明する。
図１（ａ）及び（ｂ）に示すように、本実施例に係るバッグ１０は、布材により形成された一対の取手部３３ａ，３３ｂと、上部に開口部１１を有する布材により形成された収納部１２と、上記開口部１１を開閉しうる布材から形成されたカバー部１３とにより構成されている。
また、上記収納部１２は、一対の長辺部３１，３２と一対の短辺部３５，３６により略長方形状に形成された底面部３０と、互いに対向する一対の略長方形状に形成された同一形状の側面部１９，２０とを有し、上記側面部１９，２０は上記側面部１９，２０の幅方向の両端部において長さ方向全域に亘って互いに縫合されている。
また、上記底面部３０は、上記一対の側面部１９，２０の下端部により互いに対向する方向に折り曲げ線３７，３８により略直角に内方へ折り曲げられ、上記底面部３０の幅方向の中央部において上記一対の側面部１９，２０の下端部が長さ方向全域に亘って縫合されることにより形成されている。
また、上記底面部３０の上記一対の長辺部３１，３２は上記折り曲げ線３７，３８により形成され、上記一対の短辺部３５，３６には上記側面部１９，２０の幅方向両端部において縫合された上記一対の側面部１９，２０の下端部が上記一対の短辺部３５，３６の全域に亘って縫合されている。
【００１９】
また、図１（ａ）及び（ｂ）に示すように、上記収納部１２は、上記一対の側面部１９、２０が離間した場合に上記一方の側面部１９の上端部２１と上記他方の側面部２０の上端部２６により形成された上記底面部３０に対向する開口部１１を有している。
また、上記収納部１２の一対の側面部１９，２０の上端部２１，２６には、上記上端部２１，２６を補強しうるように形成された所定の幅寸法を有する補強帯部３４が上記一対の側面部１９，２０の夫々の上端部２１，２６に沿って全域に形成されている。
また、上記補強帯部３４は、一対の側面部１９，２０の上端部２１，２６において、上記側面部１９，２０の幅方向に沿って内方に折り返され、上記開口部２１の周方向に沿って縫合されて形成されている。
また、上記取手部３３ａ，３３ｂは所定の幅寸法の帯状に形成されると共にＵ字形状に形成され、上記一方の取手部３３ａの両端部が上記一方の側面部１９の上端部２１に取り付けられ、上記他方の取手部３３ｂの両端部が上記他方の側面部２０の上端部２６に取り付けられている。
【００２０】
また、図１に示すように、上記カバー部１３は、上記側面部１９，２０の幅寸法より小さな幅寸法を有する略長方形状に形成され、上記収納部１２の内部に配置され、上記開口部１１が開かれた場合に上記収納部１２の一方の側面部１９から他方の側面部２０に亘って開口部１１を閉じうる長さ寸法を有すると共に上記収納部１２の高さ寸法より短い長さ寸法を有している。
また、上記カバー部１３の一方の端部１４には、上記収納部１２の一方の側面部１９の上端部２１に固定しうる固定端部２２が形成され、上記カバー部１３は上記カバー部１３の上記固定端部２２により上記収納部１２の一方の側面部１９の上端部２１に固定されている。
また、上記カバー部１３の他方の端部１５には、上記収納部１２の他方の側面部２０に着脱可能に接続しうる固定部１６を構成する雄ホックにより形成された第一の留め具２３が設けられている。
また、上記他方の側面部２０の上端部２６には、上記第一の留め具２３と係合する雌ホックにより形成された第二の留め具２４が設けられている。
また、上記第一の留め具２３は上記カバー部１３の一方の側面部１９側の他方の端部１５の幅方向略中央部に取り付けられている。
また、上記第一の留め具２３に係合しうる上記第二の留め具２４は上記収納部１２の他方の側面部２０の内側の上端部２６の幅方向略中央部に取り付けられている。
また、上記一方の側面部１９の上端部２１と上記他方の側面部２０の上端部２６とが当接した場合に、上記収納部１２の開口部１１を閉じうる雌ホックにより形成された上記第二の留め具２４と係合しうる雄ホックにより形成された第三の留め具２７が上記一方の側面部１９の内側の上端部２１の幅方向略中央部に取り付けられている。
【００２１】
また、図１に示すように、上記カバー部１３は上記カバー部１３の全域に亘ってポケット部１７を有し、上記ポケット部１７は、上記開口部１１が閉じられていない状態で上記カバー部１３が一方の側面部１９に沿って垂下された場合に、上記カバー部１３の他方の側面部２０側に形成されているので、上記開口部１１が雄ホックにより形成された上記第一の留め具２３と雌ホックにより形成された上記第二の留め具２４とが係合されることにより上記カバー部１３により閉じられた場合に、上記カバー部１３の外方側に配置される。
また、上記ポケット部１７には上記カバー部１３の幅方向に沿って上記固定端部２２の全域に亘ってポケット開口部１８が形成され、上記ポケット開口部１８は、上記カバー部１３が一方の側面部１９に沿って垂下された場合に上記カバー部１３の他方の側面部２０側に配置されるように形成されていることにより、上記カバー部１３により上記開口部１１が閉じられた場合には、上記カバー部１３の外方側に配置される。
【００２２】
また、他の実施例として、図２に示すように、雄ホックにより形成された上記第一の留め具２３が、上記カバー部１３が一方の側面部１９に沿って垂下された場合に、上記カバー部１３の他方の側面部２０側の他方の端部１５に取り付けられていると共に、上記第一の留め具２３には、上記カバー部１３の他方の端部１５を把持しうる把持部２８が取り付けられていてもよい。
【００２３】
また、さらに他の実施例として、図３に示すように、上記ポケット部１７には上記ポケット開口部１８を開閉しうるファスナー２９が上記ポケット開口部１８の全域に亘って取り付けられ、上記ファスナー２９には、上記ファスナー２９を開閉しうる把持部３９が設けられていてもよい。
【００２４】
以下、本実施例の作用について説明する。
本実施例に係るバッグ１０は、例えば、図３（ａ）に示すように、開口部１１が閉じられていない場合には、カバー部１３は、カバー部１３の一方の端部１４に形成された固定端部２２により収納部１２の一方の側面部１９の上端部２１に固定されているので、上記カバー部１３は上記一方の側面部１９に沿って垂下されている。
この場合、上記カバー部１３は上記一方の側面部１９に沿って垂下されているので、上記カバー部１３は上記収納部１２への物の出し入れの際に邪魔になることがない。
また、ポケット部１７のポケット開口部１８は、上記カバー部１３の他方の側面部２０側に配置されるように形成されると共に、上記カバー部１３の幅方向に沿って上記カバー部１３の一方の端部１４に形成された固定端部２２の全域に亘って形成されているので、上記ポケット開口部１８を介して上記カバー部１３に形成されたポケット部１７への小物等の出し入れを可能とするバッグを提供することができる。
また、ポケット開口部１８にはポケット開口部１８を開閉しうるファスナー２９が上記ポケット開口部１８の全域に亘って取り付けられているので、上記ポケット部１７の内部に収納した物をファスナー２９を閉めることにより確実に上記ポケット部１７の内部に保持できるので、上記ポケット部１７に収納された物の盗難を防止でき、上記ポケット部１７に収納された物の落下等を防止できる。
また、バッグ１０の収納部１２に収納された収納物が少なく、収納部１０の一方の側面部１９の上端部２１と他方の側面部２０の上端部２６とが当接しうる場合には、雌ホックにより形成された第二の留め具２４が、上記収納部１２の他方の側面部２０の上端部２６に取り付けられていると共に上記第二の留め具２４に係合しうる雄ホックにより形成された第三の留め具２７が上記収納部１２の一方の側面部１９の上端部２１に取り付けられていることから、上記第二の留め具２４と上記第三の留め具２７とを係合させることにより、上記収納部１２の開口部１１を閉じることができる。
【００２５】
また、上記カバー部１３により上記収納部１２の開口部１１を閉じる場合には、図３（ｂ）に示すように、上記カバー部１３の他方の端部１５を把持することにより、図３（ｃ）に示すように、上記カバー部１３の他方の端部１５側を上方へ持ち上げる。
そして、図３（ｄ）に示すように、上記カバー部１３の一方の側面部１９側の他方の端部１５に取り付けられている雄ホックにより形成された第一の留め具２３と上記収納部１２の他方の側面部２０の上端部２６に取り付けれた雌ホックにより形成された第二の留め具２４とを互いに係合させて上記収納部１２の開口部１１を容易に閉じることができる。
この場合、上記カバー部１３により上記開口部１１を閉じることによりバッグ１０の内部を外から視認することができないバッグ１０を提供することができる。
また、上記カバー部１３により上記開口部１１を閉じられている場合であっても、上記ポケット部１７及び上記ポケット部１７に形成されたポケット開口部１８は上記カバー部１３の外方側に配置されるので、上記ポケット開口部１８を介して上記ポケット部１７への小物等の出し入れをすることができる。
また、上記ポケット開口部１８に取り付けられたファスナー２９を閉めることにより確実に上記ポケット部１７の内部に収納された物を保持できるので、上記ポケット部１７に収納された物の盗難を防止でき、上記ポケット部１７に収納された物の落下等を防止できる。
【００２６】
また、他の実施例における作用としては、図２に示すように、雄ホックにより形成された上記第一の留め具２３が、上記開口部１１が閉じられていない状態で上記カバー部１３が一方の側面部１９に沿って垂下された場合に、上記カバー部１３の他方の側面部２０側の他方の端部１５に取り付けられていると共に、上記第一の留め具２３には、上記カバー部１３の他方の端部１５を把持しうる把持部２８が取り付けられているバッグ１０において、上記カバー部１３により上記収納部１２の開口部１１を閉じる場合には、上記把持部２８を把持して上記カバー部１３の他方の端部１５側を上方へ持ち上げることにより、第一の留め具２３を第二の留め具２４を係合させることができる。
従って、上記把持部２８が取り付けられているので容易に第一の留め具２３を第二の留め具２４を係合させることができ、上記カバー部１３により上記開口部１１を容易に閉じることができる。
【００２７】
また、本実施例においては固定部１６としてホックを例に説明しているが、固定部１６を互いに引き合う磁石により形成されたホックとすることにより、上記固定部１６の係合操作を容易にして、開口部１１を容易に閉じることもできる。
【産業上の利用可能性】
【００２８】
本考案は、バッグに係り、特に、バッグの開口部を開閉しうるカバー部にポケットを設けることにより、バッグの開口部がカバー部で閉じられた場合であってもポケットへの小物等の出し入れを可能とするバッグに適用することができる。
【図面の簡単な説明】
【００２９】
【図１】本考案に係るバッグの一実施の形態を示す斜視図であり、（ａ）はカバー部により開口部が閉じられていない場合を示す図であり、（ｂ）はカバー部により開口部が閉じられている場合を示す図である。
【図２】本考案に係るバッグの一実施の形態を示す斜視図であり、（ａ）はカバー部により開口部が閉じられていない場合を示す図であり、（ｂ）はカバー部により開口部が閉じられている場合を示す図である。
【図３】本考案に係るバッグの一実施の形態を示す斜視図であって、ポケット開口部にファスナーが取り付けられた場合を示す図であり、（ａ）〜（ｄ）はカバー部により開口部を閉じる過程を示す図である。
【符号の説明】
【００３０】
１０    バッグ
１１    開口部
１２    収納部
１３    カバー部
１４    カバー部の一方の端部
１５    カバー部の他方の端部
１６    固定部
１７    ポケット部
１８    ポケット開口部
１９    一方の側面部
２０    他方の側面部
２１    一方の側面部の上端部
２２    固定端部
２３    第一の留め具
２４    第二の留め具
２６    他方の側面部の上端部
２７    第三の留め具
２８    把持部
２９    ファスナー
３０    底面部
３１    底面部の長辺部
３２    底面部の長辺部
３３ａ  取手部
３３ｂ  取手部
３４    補強帯部
３５    短辺部
３６    短辺部
３７    折り曲げ線
３８    折り曲げ線
３９    ファスナーの把持部
【図１】
0003142250.tif 000003
【図２】
0003142250.tif 000004
【図３】
0003142250.tif 000005